(57)【要約】【課題】ＴＶの内蔵機器と外部接続機器とで共通の操作ボタンを用い、これらを任意に切り替えて操作できることで、リモコン送信機のボタン数を減らし、かつ好適な操作性を得る。【解決手段】録画ボタンが操作されると、制御部１０８は操作対象機器管理部１０９より現在の操作対象機器とその状態を読み出し、操作対象機器が外部機器以外であり且つ録画再生モジュール１０６が録画可能だと判断した場合、録画生成モジュール１０６に対する録画制御を行い、操作対象機器がＤＶＤ−ＲＡＭであり且つ録画可能な状態だと判断した場合は、ディジタルバスＩ／Ｆ１０２を経由して録画制御コマンドを発行する。【選択図】図１
2006041584.tif 000002
【特許請求の範囲】
【請求項１】
テレビジョン放送受信チューナと録画再生装置を内蔵し、外部に別の録画再生機器を接続するディジタルバスを備えた映像機器と、前記映像機器に対する制御コードを発行する赤外線リモコン送信装置からなり、前記リモコン送信装置は少なくとも録画・再生・停止・一時停止・早送り・早戻し、および機器選択ボタンを備え、前記映像機器は、操作対象機器を記憶する操作対象機器管理手段を備え、使用者が選択した操作対象機器に応じて、前記映像機器に内蔵された録画再生装置の制御か、または外部接続機器に対する前記ディジタルバスを経由した制御コマンドの発行かのいずれかを行い遠隔操作を行う事を特徴としたリモコンシステム。
【請求項２】
前記リモコン送信装置において、再生・停止・一時停止・早送り・早戻しの各ボタンは、同一リモコン上に配置された他のボタンと共通に割り当てられており、前記映像機器において、操作対象機器が選択され操作可能な状態である場合にはこれらのボタンを再生・停止・一時停止・早送り・早戻しの機能として取り扱う事を特徴とする、請求項１記載のリモコンシステム。
【請求項３】
前記リモコン送信装置において、機器選択ボタンは、同一リモコン上に配置された複数のボタンからなり、それぞれのボタンには操作対象機器がディジタルバス接続機器として動作するか、アナログ接続機器としてリモコンコードを発行するかを登録できる事を特徴とする、請求項１乃至２記載のリモコンシステム。
【請求項４】
前記リモコン送信装置において、機器選択ボタンは、同一リモコン上に配置された映像入力切り替えボタンを兼ねる事を特徴とする、請求項１乃至３記載のリモコンシステム。
【請求項５】
前記映像機器において、前記リモコン送信装置の録画ボタンが押されたとき、前記操作対象機器管理手段から得られる操作対象機器および状態を参照し、使用者が選択した操作対象機器が外部接続機器であり且つ録画可能な状態の場合は、外部接続機器に対する前記ディジタルバスを経由した録画コマンドの発行を行い、外部接続機器が録画可能で無い状態の場合は、前記映像機器に内蔵された録画再生装置に対する録画制御を行うことを特徴とする、請求項１乃至４記載のリモコンシステム。
【請求項６】
前記ディジタルバスは、ＩＥＥＥ１３９４バスであることを特徴とする、請求項１乃至５記載のリモコンシステム。
【請求項７】
前記ディジタルバスは、ＨＤＭＩ（Ｈｉｇｈ  Ｄｉｆｉｎｉｔｉｏｎ  Ｍｕｌｔｉｍｅｄｉａ  Ｉｎｔｅｒｆａｃｅ）バスであることを特徴とする、請求項１乃至６記載のリモコンシステム。
【発明の詳細な説明】
【技術分野】
【０００１】
本発明は、テレビジョン受像機（以下、ＴＶという）にメモリーカードあるいはＨＤＤ（ハードディスク）レコーダによる録画再生装置を内蔵し、さらにＤＶＤ、ＨＤＤレコーダなど外部映像機器を制御するディジタルバスインターフェースを備えた映像機器に関するリモートコントロール（リモコン）装置およびその遠隔操作システムに関する。
【背景技術】
【０００２】
近年、ＤＶＤレコーダやＨＤＤレコーダはその価格の低下とともに普及を拡大し、近い将来ＶＴＲを取って代わろうとしている。さらに青色光レーザーを利用したＤＶＤ大のディスクにハイビジョンの高精細映像を記録可能なものまで登場し、地上ディジタル放送対応受信機とともに普及が期待される。
【０００３】
一方でカメラ付き携帯電話やディジタルスチルカメラ、動画にも対応した携帯型マルチカメラが普及しメモリーカードに記録した静止画や動画をＴＶで再生したり、逆にＴＶで録画した映像をメモリーカードを介してこれら携帯機器にて再生するための連係機能を持つものが増えている。
【０００４】
このため、メモリーカードやＨＤＤなど内蔵機器を備えたＴＶにＤＶＤレコーダなどの外部接続機器を接続すると複数のリモコン送信機を操作しなければならず、とりわけ録画・再生といった基本操作が同じＴＶ画面を見ながらそれぞれ別々のリモコン送信機で操作する煩雑さがあった。さらに、表示デバイスの主流がＣＲＴからプラズマディスプレイなどの薄型大画面に主流が移っており、画面と操作する機器が離れた場所に設置されるとリモコン送信機を別々の方向に向けなければならず誤操作の原因ともなっていた。
【０００５】
ＤＶＤレコーダなどの遠隔操作に関しては１３９４バスやＨＤＭＩ（Ｈｉｇｈ  Ｄｉｆｉｎｉｔｉｏｎ  Ｍｕｌｔｉｍｅｄｉａ  Ｉｎｔｅｒｆａｃｅ）バス接続により、制御に関する規格に基づいてＴＶのリモコン送信機を使って操作を行うことができるが、内蔵機器の操作に関してはリモコンボタンを増やしたり機器操作メニューによる操作が必要であったりで、操作方法に一貫性がなく煩雑であった。また、内蔵機器との間で操作対象機器を簡単に切り替える事ができなかった。
【０００６】
内蔵機器と複数の外部接続機器を一つのＴＶのリモコン送信機で遠隔操作するための解決手段として、表示画面付きのマルチリモコンが開示されている（例えば、特許文献１参照）。このマルチリモコンはユーザが操作機器対象選択ボタンを押すとＴＶの内蔵機器と外部接続機器の間で操作対象を切り替える。機器名をリモコンに表示させることで、ユーザはＴＶ画面を見ずに機器選択ができる。
【特許文献１】特開２００３−７８７７９号公報
【発明の開示】
【発明が解決しようとする課題】
【０００７】
しかしなから特開２００３−７８７７９号公報に記載のマルチリモコンの技術において、機器選択操作はリモコンの表示を見ながらの操作であり、機器操作時はＴＶ画面上にリモコンのボタン配置図そのものまたはリモコンボタンの一覧を表示した機器操作メニューを表示したＴＶ画面を見ながらの操作のため煩雑であり、各機器の制御はＴＶから各機器に対応したリモコン信号に変換して出す、という従来のアナログ接続の技術に基づいたものであり、近年増加している機器のディジタル化に伴う上記問題を全て解決できるものではない。
【０００８】
本発明は、ＴＶの内蔵機器と外部接続機器とで共通の操作ボタンを用い、これらを任意に切り替えて操作できることで、リモコン送信機のボタン数を減らし、かつ好適な操作性を得る事を目的とする。
【０００９】
本発明の他の目的は、録画、再生、停止といった機器操作に必要な基本的なボタン操作に関して複雑な機器操作メニューを必要とせず、直感的な操作性を提供する事である。
【００１０】
本発明のさらに他の目的は、従来のアナログ接続によるＶＴＲなどの機器に対するマルチリモコンとしての機能と、ディジタルバス接続された機器に対するバス制御リモコンとしての機能を任意に併せ持つことで汎用性を高めることである。
【００１１】
本発明のさらに他の目的は、録画可能な機器を自動選択する機能により、ユーザにとって急を要する録画操作における機器選択操作を省略する事である。
【課題を解決するための手段】
【００１２】
上記のような目的を達成するために、本発明は、本体に内蔵された録画再生装置および、複数の映像機器を接続するディジタルバスＩ／Ｆとを備えた映像機器および、リモコン送信機からなるリモコンシステムであって、映像機器においては操作対象機器を記憶する操作対象機器管理手段を備え、リモコン送信機においては内蔵された録画再生装置と外部接続された録画再生機器とで操作対象機器を切り替えるための第１の操作ボタンと、録画再生装置の基本操作を行うための第２の操作ボタンを備えた構成とする。また本発明における映像機器はＴＶであり、上記以外にＴＶの操作に必要な操作ボタンをリモコン装置に備えるが、本件発明の請求範囲にないボタンにおいては図示や説明を省く。
【００１３】
第１の発明に係るリモコンシステムは、録画再生装置の基本操作を直感的に行うべく第２の操作ボタンは少なくとも録画・再生・停止・一時停止・早送り・早戻しボタンからなり、これらのキー操作に対応するリモコンコードを受けた時に映像機器に内蔵する録画再生装置に対する制御か外部接続機器に対する制御コマンド発行のいずれを行うべきかを判断すべく、第１の操作ボタンたる機器選択ボタンに対応するリモコンコードを受ける度に操作対象機器を切り替えて記憶するための操作対象機器管理手段を備えた構成とした。
【００１４】
第２の発明に係るリモコンシステムは、第１の発明に係るリモコンシステムの構成において、映像機器のメニュー操作に必要なカーソルボタンおよび決定ボタンからなる第３の操作ボタンを備え、リモコンのボタン数を削減すべく第２の操作ボタンと第３の操作ボタンとで共通のボタンを割り当てる構成とした。
【００１５】
第３の発明に係るリモコンシステムは、第１または第２の発明に係るリモコンシステムの構成において、リモコン送信機が公知のマルチリモコンとしての機能を備え、複数の外部機器に対応しリモコンの機能を切り替えるための第４の操作ボタンを備え、ディジタルバス接続を経由した機器操作かリモコン信号によるアナログ接続機器の操作のいずれかを使用者が予め登録できるようにする事で汎用性を高めるべく第１の操作ボタンは、第４の操作ボタンとで共通のボタンを割り当てる構成とした。
【００１６】
第４の発明に係るリモコンシステムは、第１〜第３の発明に係るリモコンシステムの構成において、映像入力切り替えを行うための第５の操作ボタンを備え、ボタン数を削減すべく第１の操作ボタンと第５の操作ボタンを共通に割り当てる構成とした。
【００１７】
第５の発明に係るリモコンシステムは、第１〜第４の発明に係るリモコンシステムの構成において、録画ボタンが押された時に有効な録画機器を自動的に判断すべく、操作対象機器管理手段から得られる操作対象機器の状態を参照し、使用者が選択した操作対象機器が外部接続機器であり且つ録画可能な状態か、外部接続機器が録画可能で無い状態かを判断する録画対象機器判断手段を備える構成とした。
【００１８】
第６の発明に係るリモコンシステムは、第１〜第５の発明に係るリモコンシステムの構成において、外部接続機器に対する制御コマンドに汎用性を持たせるべくディジタルバスＩ／ＦとしてＩＥＥＥ１３９４バスを備える構成とした。
【００１９】
第７の発明に係るリモコンシステムは、第１〜第５の発明に係るリモコンシステムの構成において、外部接続機器に対する制御コマンドに汎用性を持たせるべくディジタルバスＩ／ＦとしてＨＤＭＩ（Ｈｉｇｈ  Ｄｉｆｉｎｉｔｉｏｎ  Ｍｕｌｔｉｍｅｄｉａ  Ｉｎｔｅｒｆａｃｅ）バスを備える構成とした。
【発明の効果】
【００２０】
本発明によれば、映像機器の内蔵機器と外部接続機器とで共通の操作ボタンを用い、これらを任意に切り替えて操作できることで、リモコン送信機のボタン数を減らし、かつ好適な操作性を提供することができる。
【００２１】
さらに、録画、再生、停止といった機器操作に必要な基本的なボタン操作に関して複雑な機器操作メニューを必要とせず、直感的な操作性を提供する事ができる。
【００２２】
またさらに、従来のアナログ接続によるＶＴＲなどの機器に対するマルチリモコンとしての機能と、ディジタルバス接続された機器に対するバス制御リモコンとしての機能を任意に併せ持つことで上位互換性を持たせ、汎用性を高めることができる。
【００２３】
またさらに、録画可能な機器を自動選択する機能により、ユーザにとって急を要する録画操作における機器選択操作を省略する事ができ、外部機器の録画準備が整っていない場合でも、内蔵機器に自動的に切り替えて確実に録画が行える。
【発明を実施するための最良の形態】
【００２４】
以下、本発明の一実施形態によるリモコンシステムについて図面を参照しながら説明する。
【００２５】
（実施の形態１）
図１は、本発明によるリモコンシステムの構成を示すブロック図および本発明の実施の形態１におけるリモコン送信機の一例を示す図であり、ブロック図は本発明の全てに係り、リモコン送信機の図は本発明の請求項１の範囲に係る。図１に示すリモコンシステムにおいて、テレビ１００は、チューナ１０１、ディジタルバスＩ／Ｆ１０２、メモリーカード１０３、リモコン受信部１０４、ＡＶデコーダ１０５、録画再生モジュール１０６、ＡＶＳＷ１０７、制御部１０８、操作対象機器管理部１０９、ＲＧＢプロセッサ１１０、ディスプレイ１１１、音声アンプ１１２、スピーカ１１３を備え、リモコン送信機２００は、録画ボタン２０１、再生ボタン２０２、停止ボタン２０３、一時停止ボタン２０４、早送りボタン２０５、早戻しボタン２０６、機器選択ボタン２０７を備える。ディジタルバスＩ／Ｆ１０２には外部機器が接続されており、この場合外部機器３０２たるＡＶアンプを経由して外部機器３０１たるＤＶＤ−ＲＡＭおよび外部機器３０３たる外部チューナが接続されている。
【００２６】
テレビ１００において、チューナ１０１、ＡＶデコーダ１０５、録画再生モジュール装置１０６からの映像信号および音声信号は、制御部１０８の指示によりＡＶＳＷ１０７にて選択され、映像信号がＲＧＢプロセッサ１１０で処理されディスプレイ１１１に表示される。ＲＧＢプロセッサ１１０からの映像信号には制御部１０８から出力されたＯＳＤが混合されている。音声信号は音声アンプ１１２で増幅されスピーカ１１３より再生される。録画生成モジュール１０６はメモリーカード１０３に入った画像を再生、又はＡＶＳＷ１０７を経由された映像音声信号をメモリーカード１０３に記録する。外部機器３０１〜３０３からの映像信号はディジタルバスＩ／Ｆ１０２を経由して映像信号をＡＶデコーダ１０５にてデコード処理されＡＶＳＷに入る。ディジタルバスＩ／Ｆ１０２には外部接続機器の制御線も含まれる。
【００２７】
制御部１０８は、リモコン送信機２００の操作によりリモコン受信部１０４に入ったリモコン信号に応じて、通常のＴＶの機能としての制御に加え、機器選択操作や録画再生操作を行う。
【００２８】
機器選択２０７ボタンが操作されると、制御部１０８は操作対象機器管理部１０９より現在の操作対象機器とその状態を読み出し、次にどの機器を選択するか判断し、その結果に応じＡＶＳＷ１０７を切り替え、必要に応じディジタルバスＩ／Ｆ１０２や録画生成モジュール１０６に対する制御も行うことで、選択した映像信号をディスプレイ１１１に表示し、音声信号をスピーカ１１３より再生する。そして、操作対象機器管理部１０９に保持された現在の操作対象機器とその状態の更新を行い、「ＤＶＤ−ＲＡＭ」「ＳＤ  Ｖｉｄｅｏ」などのＯＳＤをディスプレイ１１１の映像に合成して表示する。
【００２９】
再生ボタン２０２が操作されると、制御部１０８は操作対象機器管理部１０９より現在の操作対象機器とその状態を読み出し、操作対象機器が外部機器以外であり且つ録画再生モジュール１０６が再生可能な状態であると判断した場合は、録画生成モジュール１０６に対する再生制御を行い、ＡＶＳＷ１０７の入力を録画再生モジュール１０６に切り替え、操作対象機器が外部機器３０１たるＤＶＤ−ＲＡＭであり且つ再生可能な状態であると判断した場合は、ＡＶＳＷ１０７の入力をＡＶデコーダ１０５に切り替え、ディジタルバスＩ／Ｆ１０２を経由して外部機器３０１に対する再生制御コマンドを発行する。
【００３０】
停止２０３、一時停止２０４、早送り２０５、早戻し２０６のいずれかのボタンが操作されると、制御部１０８は操作対象機器管理部１０９より現在の操作対象機器とその状態を読み出し、操作対象機器が録画再生モジュール１０６であり且つ操作可能な状態であると判断した場合は、録画生成モジュール１０６に対する各制御を行い、操作対象機器が外部機器３０１たるＤＶＤ−ＲＡＭであり且つ操作可能な状態であると判断した場合は、ディジタルバスＩ／Ｆ１０２を経由して外部機器３０１に対する各制御コマンドを発行する。
【００３１】
録画ボタンが操作されると、制御部１０８は操作対象機器管理部１０９より現在の操作対象機器とその状態を読み出し、操作対象機器が外部機器以外であり且つ録画再生モジュール１０６が録画可能な状態であると判断した場合は、録画生成モジュール１０６に対する録画制御を行い、操作対象機器が外部機器３０１たるＤＶＤ−ＲＡＭであり且つ録画可能な状態であると判断した場合は、ディジタルバスＩ／Ｆ１０２を経由して外部機器３０１に対する録画制御コマンドを発行する。
【００３２】
上記ボタン操作に対しては、操作対象機器管理部１０９に保持された現在の操作対象機器とその状態に変化があれば更新を行い、録画再生状態を示すための文字や記号によるＯＳＤをディスプレイ１１１の映像に合成して表示する。ただし本発明の請求範囲７に記載のＨＤＭＩバスの場合は操作対象機器が外部接続機器の場合に限りテレビ１００ではなく操作対象機器にてかかるＯＳＤを表示することが可能である。
【００３３】
本発明において、チューナ１０１がテレビジョン放送受信チューナに相当し、録画再生モジュール１０６が内蔵された録画再生装置に、ディジタルバスＩ／Ｆ１０２がディジタルバスに、操作対象機器管理部１０９が操作対象機器管理手段に、リモコン送信機２００が赤外線リモコン送信機に、録画ボタン２０１、再生ボタン２０２、停止ボタン２０３、一時停止ボタン２０４、早送りボタン２０５、早戻しボタン２０６、機器選択ボタン２０７がそれぞれ録画・再生・停止・一時停止・早送り・早戻し、および機器選択ボタンに相当する。
【００３４】
なおここで、ディジタルバスＩ／Ｆ１０２はここでは本発明の請求範囲６に記載の１３９４バスを想定して双方向で図示してあるが、本発明の請求範囲７に記載のＨＤＭＩバスの場合はレシーバとトランスミッタの２系統のバスを設けることで双方向となり、ＴＶチューナの映像を外部機器３０１たるＤＶＤ−ＲＡＭに出力して録画することができる。双方向の場合ＡＶデコーダ１０５は非図示のＡＶエンコーダを内蔵する。本発明の請求範囲７においてはレシーバのみの装備でも構わず、この場合は片方向となり外部機器３０３たる外部チューナの映像のみ録画することができる。録画生成モジュール１０６には何れの映像でも録画できる。
【００３５】
（実施の形態２）
図２は、本発明の実施の形態２におけるリモコン送信機の一例を示す図であり、本発明の請求項２および請求項４の範囲に係る。本実施の形態１との違いは、停止・一時停止・早送り・早戻しおよび再生の各ボタンがメニュー操作のための各カーソルボタンおよび決定ボタンとで共通のボタンが割り当てられている点にある。リモコン送信機２００はカーソル上ボタン２０８、同下ボタン２０９、同左ボタン２１０、同右ボタン２１１、決定ボタン２１２（「ＯＫ」と表示）、メニューボタン２１３（「ＭＥＮＵ」と表示）、戻るボタン２１４（「ＲＥＴＵＲＮ」と表示）、入力切替ボタン２１５（「ＴＶ／ＡＶ」と表示）、録画再生モジュール１０６を起動するためのＳＤボタン２１６（「ＳＤ」と表示）、録画ボタン２１７（録画と録画停止でトグル動作をするため「ＲＥＣ／ＳＴＯＰ」と表示）、リモコン送信部２１８を備える。なおＴＶのリモコン送信機としては、図示しない他のボタン、例えば電源ボタンやチャンネル選択ボタンがあっても構わないものとする。
【００３６】
ここで、入力切替ボタン２１５およびＳＤボタン２１６は図１における機器選択ボタン２０７を兼ねており、これらのボタンが操作された場合のＴＶ１００の動作については、前述の図１における説明と同様であるが、制御部１０８はディジタル接続された外部機器のみならず、通常のＴＶと同様にアナログ接続されたＶＴＲなどへの入力切替についても操作対象機器管理部１０９にて操作対象機器を一括して管理することで、同じ入力切替ボタン２１５の操作に対して機器選択操作と入力切替操作を兼ねて行う。
【００３７】
ＳＤボタン２１６が操作された場合、入力切替ボタン２１５と同様に、制御部１０８は操作対象機器管理部１０９にて操作対象機器を一括して管理することで、同じＳＤボタン２１６の操作に対して機器選択操作と録画再生モジュール１０６の起動／終了操作を兼ねて行う。
【００３８】
図３は本発明の実施の形態２において録画再生モジュールを起動したときに表示される動画サムネイル画面の一例を示す図である。例えばＴＶ視聴中にＳＤボタン２１６が操作された場合、制御部１０８は録画再生モジュール起動アプリメニュー（図示せず）をディスプレイ１１１に表示する。ここで、上下カーソルボタン２０８、２０９および決定ボタン２１２の操作により「動画像一覧」が選択されると、録画再生モジュール１０６に対する起動制御、ＡＶＳＷ１０７を制御し動画再生モジュール１０６への入力切替処理を行い、図３に示す動画サムネイル画面１をディスプレイ１１１に表示する。画面の左側の表示中の画像情報２はフォーカスが当たっているファイルの画像情報とリモコンガイドを表示する。この場合、リモコンガイド３ａはリモコン送信機２００のカーソルボタンと決定ボタンが図２に示す表示の意味の通り項目選択動作として機能する事を示している。
【００３９】
図４は本発明の実施の形態２において録画再生モジュールの動画再生中の表示画面の一例を示す図である。図４は、ディスプレイ１１１上の表示であり、再生中画面１、リモコンガイド３ｂ、入力・操作対象機器表示４、録画再生状態表示５、録画再生時間表示６により構成される。前記動画サムネイル画面（図３）において、上下カーソルボタン２０８、２０９、左右カーソルボタン２１０、２１１および決定ボタン２１２の操作により動画ファイルが選択されると、制御部１０８は、動画再生モジュールを示す「ＳＤ  Ｖｉｄｅｏ」を入力・操作対象機器表示４に、再生中を示す再生マークを録画再生状態表示５に、再生経過時間を示す時間表示を録画再生時間表示６にそれぞれ表示する。同時にリモコンガイド３ｂを表示する。この場合、リモコンガイド３ｂはリモコン送信機２００の一時停止、停止、早送り、早戻し、再生が図１で示すところの一時停止、停止、早送り、早戻し、再生の各ボタンとして機能する事を示しており、同じリモコンコードに対し動作モード毎にボタンの機能を切替えて、カーソル操作と録画再生のダイレクト操作を同じリモコンボタンで実現している。
【００４０】
図５は本発明の実施の形態２において、図１同様外部機器にＤＶＤ−ＲＡＭと外部チューナとＡＶアンプが接続されている場合に、外部チューナからＤＶＤ−ＲＡＭへの録画中の表示画面の一例を示す図である。図５は、ディスプレイ１１１上の表示であり、受像中画面１、起動アプリメニュー７、入力・操作対象機器表示４、録画再生状態表示５、録画再生時間表示６により構成される。録画再生モジュール起動アプリメニュー２は通常録画中には表示されないが、ＳＤボタン２１５の操作により表示される。
【００４１】
外部チューナを視聴中に録画ボタンが操作されると、制御部１０８は、操作対象機器管理部１０９から現在の操作対象機器とそのステータスを読み出す。ここで、これらの機器はＡＶアンプを経由したディジタルバス接続であり、ＤＶＤ−ＲＡＭと外部チューナのステータスはＡＶアンプから一括して送られ、操作対象機器管理手段１０９に保持されるものとする。ここで、制御部１０８は、ＤＶＤ−ＲＡＭのステータスを参照し録画可能な状態であると判断した場合、ＤＶＤ−ＲＡＭに対し録画開始コマンドを発行し、外部チューナからＤＶＤ−ＲＡＭへの録画を示す「ＴＮＲ−＞ＤＶＤ−ＲＡＭ」を入力・操作対象機器表示４に、録画中を示す録画マークを録画再生状態表示５に、録画経過時間を示す時間表示を録画再生時間表示６にそれぞれ表示する。
【００４２】
なお、録画中は再生、早送り、早戻し、一時停止の操作は禁止であるので、リモコンガイドを表示する必要な無い。録画ボタン２１７が操作されるとトグルで録画を停止する。
【００４３】
（実施の形態３）
図６は、本発明の実施の形態３におけるリモコン送信機の一例を示す図であり、本発明の請求項２および請求項３の範囲に係る。本実施の形態２との違いは、リモコン送信機２００が公知のマルチリモコンとしての機能を備え、複数の外部機器に対応しリモコンの機能を切り替えるためのリモコンモード切替ボタン２１６を備える点にある。
【００４４】
ここで、リモコンモード切替ボタン２１６ｂは図１における機器選択ボタン２０７および図２における入力切替ボタン２１６を兼ねており、これらのボタンが操作された場合のＴＶ１００の動作については、前述の図２における説明と同様であるが、リモコン送信機２００はディジタル接続された外部機器のみならず、通常のマルチリモコンと同様にアナログ接続されたＶＴＲなどに対するリモコンコードの送信にも対応することで、同じリモコンモード切替ボタン２１６ｂの操作に対して機器選択操作と入力切替操作とリモコンモード切替操作を兼ねて行う。公知のマルチリモコンにおいては、リモコン送信機側の一定の操作によって、使用者が予め操作するメーカーや機器名に対応したリモコンコードのマップを「ＶＴＲ」「ＤＶＤ」「ＡＵＸ」などの各ボタンに登録する事ができる。
【００４５】
図６に示すリモコン送信機２００においては、リモコン送信機側の一定の操作によって、使用者が予め操作するメーカーや機器名に対応したリモコンコードのマップを「ＤＶＤ」「ＡＭＰ」「ＴＮＲ」の各ボタンに登録する他、例えばＤＶＤがディジタルバス接続された機器であればリモコンコードはＤＶＤのリモコンコードではなくＴＶ１００に対するリモコンコードとして出力されるように使用者が任意に登録する事も可能とする。後者の場合、本発明の実施の形態１および２に示すリモコンシステム同様、「ＤＶＤ」ボタンが操作された時に、制御部１０８は操作対象機器管理部１０９に対して操作対象機器をＤＶＤに更新し、ディジタルバスＩ／Ｆ１０２に対するＤＶＤ制御コマンド発行モードに切り替える。
【００４６】
このように、公知のマルチリモコンに本発明の技術を応用することで、ディジタルバス接続を経由した機器操作かリモコン信号によるアナログ接続機器の操作のいずれかを使用者が予め登録できるようにする事で、より汎用性の高いリモコンシステムを提供することができる。
【００４７】
次に、上記のように構成されたリモコンシステムの動作フローについて説明する。図７〜図１０は、図１に示すリモコンシステムの動作フローを示す図である。始めに図７の動作フローから説明する。
【００４８】
図７は、本発明の実施の形態１〜３におけるリモコンシステムにおいて、機器選択ボタンが操作された時の動作フローを示す図である。
【００４９】
まず、リモコン送信機２００の機器選択ボタン２０７が操作され、機器選択ボタン２０７に対応付けられたリモコン信号が送信されると、リモコン受信部１０４がリモコン信号を受信しリモコンパルスに変換して出力する。制御部１０８は、リモコンパルスを解読して機器選択ボタンが押された事を認識し、機器選択操作を実行する。
【００５０】
制御部１０８は、操作対象機器管理部１０９から現在の操作対象機器を参照し（ステップＳ１）、次に現在の操作対象機器を元に予め設定した条件に従い次に操作対象とすべき機器を決定しその機器のステータスを読み出し（ステップＳ２）、操作対象とすべき機器が外部接続機器であるかどうか判断し（ステップＳ３）、外部接続機器である場合はＡＶＳＷ１０７の入力を切り替えてＡＶデコーダ１０５を選択し（ステップＳ４）、新たに操作対象となった機器を現在の操作対象機器として更新し、操作対象機器管理部１０９に保持し（ステップＳ５）、処理を終了する。
【００５１】
あるいは操作対象とすべき機器が外部接続機器でなかった場合、ＡＶＳＷ１０７の入力を切り替えて録画再生モジュール１０６を選択し（ステップＳ６）、録画再生モジュール１０６が停止状態であるかを判定し（ステップＳ７）、停止状態であれば録画再生モジュール１０６を起動し動画サムネイル画面の表示を指示し（ステップＳ８）、ステップＳ５に移行し、処理を終了する。
【００５２】
上記の処理により、本実施の形態では、機器選択ボタン２０７が操作されると、制御部１０８は操作対象機器管理部１０９より現在の操作対象機器とその状態を読み出し、次にどの機器を選択するか判断し、その結果に応じＡＶＳＷ１０７を切り替え、必要に応じディジタルバスＩ／Ｆ１０２や録画生成モジュール１０６に対する制御も行うことで、選択した映像信号をディスプレイ１１１に表示し、音声信号をスピーカ１１３より再生することができる。そして、操作対象機器管理部１０９に保持された現在の操作対象機器とその状態の更新を行い、「ＤＶＤ−ＲＡＭ」「ＳＤ  Ｖｉｄｅｏ」などのＯＳＤをディスプレイ１１１の映像に合成して表示することができる。
【００５３】
この結果、ＴＶの内蔵機器と外部接続機器とで共通の操作ボタンを用いることでリモコン送信機のボタン数を減らし、これらを任意に切り替えて操作することで操作者にとって好適な操作性を得る事ができる。
【００５４】
続いて図８の動作フローを説明する。図８は、本発明の実施の形態１〜３におけるリモコンシステムにおいて、再生ボタンが操作された時の動作フローを示す図である。再生以外にも、停止／早送り／早戻し／一時停止／動画一覧からの再生についても図８と同様のフローなので説明は省略する。
【００５５】
まず、リモコン送信機２００の再生ボタン２０２が操作されると、制御部１０８は、リモコンパルスを解読して再生ボタンが押された事を認識し、再生操作を実行する。
【００５６】
制御部１０８は、操作対象機器管理部１０９から現在の操作対象機器を参照し（ステップＳ１）、次に現在の操作対象機器のステータスを読み出し（ステップＳ２）、操作対象機器が外部接続機器であるかどうか判断し（ステップＳ３）、外部接続機器である場合はＡＶＳＷ１０７の入力を切り替えてＡＶデコーダ１０５を選択し（ステップＳ４）、外部接続機器に対しディジタルバスＩ／Ｆ１０２を経由して再生コマンドを発行し（ステップＳ５）、処理を終了する。
【００５７】
あるいは操作対象機器が外部接続機器でなかった場合、ＡＶＳＷ１０７の入力を切り替えて録画再生モジュール１０６を選択し（ステップＳ６）、録画再生モジュール１０６に対する再生を指示し（ステップＳ７）、処理を終了する。
【００５８】
上記の処理により、本実施の形態では、再生ボタン２０２が操作されると、制御部１０８は操作対象機器管理部１０９より現在の操作対象機器とその状態を読み出し、操作対象機器が外部機器以外であり且つ録画再生モジュール１０６が再生可能な状態であると判断した場合は、録画生成モジュール１０６に対する再生制御を行い、ＡＶＳＷ１０７の入力を録画再生モジュール１０６に切り替え、操作対象機器が外部接続機器であり且つ再生可能な状態であると判断した場合は、ＡＶＳＷ１０７の入力をＡＶデコーダ１０５に切り替え、ディジタルバスＩ／Ｆ１０２を経由して外部接続機器に対する再生制御コマンドを発行する。
【００５９】
続いて図９の動作フローを説明する。図９は、本発明の実施の形態１〜３におけるリモコンシステムにおいて、録画ボタンが操作された時の動作フローを示す図である。
【００６０】
まず、リモコン送信機２００の録画ボタン２０１が操作されると、制御部１０８は、リモコンパルスを解読して録画ボタンが押された事を認識し、録画操作を実行する。
【００６１】
制御部１０８は、操作対象機器管理部１０９から現在の操作対象機器を参照し（ステップＳ１）、次に現在の操作対象機器のステータスを読み出し（ステップＳ２）、操作対象機器が外部接続機器であるかどうか判断し（ステップＳ３）、次に操作対象機器たる外部接続機器が録画可能な状態であるかどうか判断し（ステップＳ４）、録画可能である場合は外部接続機器に対しディジタルバスＩ／Ｆ１０２を経由して録画コマンドを発行し（ステップＳ５）、処理を終了する。
【００６２】
あるいはステップＳ４にて操作対象機器たる外部接続機器が録画可能でない場合は、エラー処理を行い（ステップＳ６）、録画操作不可を操作者に知らしめることができる。
【００６３】
あるいはステップＳ３にて操作対象機器が外部接続機器でなかった場合、録画再生モジュール１０６が録画可能な状態であるかどうかを判断し（ステップＳ７）、録画可能である場合は録画再生モジュール１０６に対する録画を指示し（ステップＳ８）、処理を終了する。
【００６４】
あるいはステップＳ７にて録画再生モジュール１０６が例えばメモリーカード１０３の残量が無いなどの理由により録画可能でない場合は、エラー処理を行い（ステップＳ９）、録画操作不可を操作者に知らしめることができる。
【００６５】
上記の処理により、本実施の形態では、録画ボタン２０１が操作されると、制御部１０８は操作対象機器管理部１０９より現在の操作対象機器とその状態を読み出し、操作対象機器が外部機器以外であり且つ録画再生モジュール１０６が録画可能な状態であると判断した場合は、録画生成モジュール１０６に対する録画制御を行い、操作対象機器が外部機器であり且つ録画可能な状態であると判断した場合は、ディジタルバスＩ／Ｆ１０２を経由して外部機器３０１に対する録画制御コマンドを発行する。
【００６６】
これら図８、図９に示す動作の結果、録画、再生、停止といった機器操作に必要な基本的なボタン操作に関して複雑な機器操作メニューを必要とせず、操作した結果はＴＶ画面のマークなどによる簡潔な表示により一目で判断できるので、操作者にとって直感的な操作性を提供する事ができる。
【００６７】
なお、停止中の録画ボタン操作と録画中の録画ボタンの操作は同じ動作フローであるが、操作対象機器のステータスを参照することで録画開始／停止動作がトグルされるので、録画中の録画ボタン操作は録画停止として扱うことができる。これにより、操作者は録画停止／再開を１つのボタンにて直感的かつ容易に操作することができる。
【００６８】
（実施の形態４）
図１０は、本発明の実施の形態４（実施の形態１、２、３とは録画動作フローのみの違い）におけるリモコンシステムの録画動作フローを示す図であり、本発明の請求項５の範囲に係る。図９との違いは、録画ボタンが押された時に有効な録画機器を自動的に判断し、ＴＶに内蔵された録画再生モジュールへの録画を優先的に行う点であり、録画機器の自動判定処理をするか否かについては、予めＲＯＭにプログラムするか、操作者が起動アプリ画面の設定メニュー操作等（図示せず）で指定した場合に適用されるものとする。
【００６９】
まず、リモコン送信機２００の録画ボタン２０１が操作されると、制御部１０８は、リモコンパルスを解読して録画ボタンが押された事を認識し、録画操作を実行する。
【００７０】
制御部１０８は、操作対象機器管理部１０９から直前の操作対象機器を参照し（ステップＳ１）、次に直前の操作対象機器のステータスを読み出し（ステップＳ２）、操作対象機器が外部接続機器であり且つ録画可能な状態であるかどうか判断し（ステップＳ３）、そうである場合はＡＶＳＷ１０７の出力を切り替えてＡＶデコーダ１０５を選択し（ステップＳ４）、外部接続機器に対しディジタルバスＩ／Ｆ１０２を経由して録画コマンドを発行し（ステップＳ５）、外部接続機器を現在の操作対象機器として更新し、操作対象機器管理部１０９に保持し（ステップＳ５）、処理を終了する。ここで、操作対象機器を更新するのは、操作対象機器を自動的に切り替えたためである。
【００７１】
あるいはステップＳ３にて操作対象機器が例えば再生専用ＤＶＤプレーやなどの「外部機器、且つ録画可能な状態」以外の場合、ＡＶＳＷ１０７の出力を録画再生モジュール１０６に切り替え（ステップＳ７）、録画再生モジュール１０６が録画可能な状態であるかどうかを判断し（ステップＳ８）、録画可能である場合は録画再生モジュール１０６に対する録画を指示し（ステップＳ９）、録画再生モジュール１０６を現在の操作対象機器として更新し、操作対象機器管理部１０９に保持し（ステップＳ１０）、処理を終了する。
【００７２】
あるいはステップＳ８にて録画再生モジュール１０６が録画可能でない場合は、ここで初めてエラー処理を行い（ステップＳ１１）、何れの録画手段においても録画不可であることを操作者に知らしめることができる。
【００７３】
上記の処理により、本実施の形態では、録画ボタン２０１が操作されると、制御部１０８は操作対象機器管理部１０９より直前の操作対象機器とその状態を読み出し、直前の操作対象機器が外部接続機器であり且つ録画可能な状態であると判断した場合は、ＡＶＳＷ１０７の出力をＡＶデコーダ１０５に切り替え、ディジタルバスＩ／Ｆ１０２を経由して外部接続機器に対する録画制御コマンドを発行し、操作対象機器管理部１０９に保持された現在の操作対象機器とその状態の更新を行う。直前の操作対象機器が「外部接続機器、且つ録画可能な状態である」、つまり有効な録画手段が外部に容易されていないと判断した場合は常に、ＡＶＳＷ１０７の出力を録画再生モジュール１０６に切り替え、録画再生モジュールが録画可能状態であれば録画生成モジュール１０６に対する録画制御を行う。
【００７４】
この結果、録画ボタンが操作された時に録画可能な機器が自動選択されるため、操作者にとって急を要する録画操作における機器選択操作を省略する事である。また、外部接続機器の準備が出来ていないときや直前まで録画再生モジュールを操作していた場合には内録画再生モジュールへの録画が優先されるため、録画のチャンスを逃す事なく、クイックな操作を得る事ができる。
【００７５】
なお、上記動作フローの説明は、便宜上本発明の実施の形態１たる図１に示すリモコン送信機２００の例について説明を行ったが、ＴＶ１００側の構成は基本的に同じなので、本発明の他の実施の形態たる図２および図６に示すリモコン送信機２００においても同様である。
【産業上の利用可能性】
【００７６】
公知のマルチリモコンとの上位互換性を持たせることができるので、ディジタル接続機器とアナログ接続機器とが混在した使用形態におけるマルチリモコンの置き換えとして有用である。
【００７７】
録画再生モジュールの記憶媒体の形態は問わないので、メモリーカードに限らず、ＤＶＤ−ＲＡＭやＢｌｕｅＲａｙなどのディスク系のリムーバブル記憶媒体、大容量の不揮発性メモリやＨＤＤなどの固定記憶媒体を採用した映像機器にも適用できる。
【図面の簡単な説明】
【００７８】
【図１】本発明の実施の形態１におけるブロック図を示す図
【図２】本発明の実施の形態２によるリモコン送信機の一例を示す図
【図３】本発明の実施の形態２において録画再生モジュールを起動したときに表示される動画サムネイル画面の一例を示す図
【図４】本発明の実施の形態２において録画再生モジュールを起動したときに表示される動画サムネイル画面の一例を示す図
【図５】本発明の実施の形態２において外部チューナからＤＶＤ−ＲＡＭへの録画中の表示画面の一例を示す図
【図６】本発明の実施の形態３におけるリモコン送信機の一例を示す図
【図７】本発明の実施の形態１〜３におけるリモコンシステムにおいて、機器選択ボタンが操作された時の動作フローを示す図
【図８】本発明の実施の形態１〜３におけるリモコンシステムにおいて、再生ボタンが操作された時の動作フローを示す図
【図９】本発明の実施の形態１〜３におけるリモコンシステムにおいて、録画ボタンが操作された時の動作フローを示す図
【図１０】本発明の実施の形態４におけるリモコンシステムの録画動作フローを示す図
【符号の説明】
【００７９】
１００    ＴＶ
１０１    チューナ
１０２    ディジタルバスＩ／Ｆ
１０３    メモリーカード
１０４    リモコン受信部
１０５    ＡＶデコーダ
１０６    録画再生モジュール
１０７    ＡＶＳＷ
１０８    制御部
１０９    操作対象機器管理部
１１０    ＲＧＢプロセッサ
１１１    ディスプレイ
１１２    音声アンプ
１１３    スピーカ
２００    リモコン送信機
２０１    録画ボタン
２０２    再生ボタン
２０３    停止ボタン
２０４    一時停止ボタン
２０５    早送りボタン
２０６    早送りボタン
２０７    機器選択ボタン
２０８、２０９、２１０、２１１    カーソルボタン
２１２    決定ボタン
２１３    メニューボタン
２１４    戻るボタン
２１５    録画再生モジュール起動ボタン
２１６    入力切替ボタン
２１６ｂ    リモコンモード切替ボタン
２１７    録画（／停止）ボタン
２１８    リモコン送信部
３０１、３０２、３０３    外部機器
１    動画サムネイル画面
２    表示中の画像情報
３ａ    リモコンガイド（通常モード）
３ｂ    リモコンガイド（動画再生モード）
４    入力・操作対象機器表示
５    録画再生状態表示
６    録画再生時間表示
７    起動アプリメニュー
【図１】
2006041584.tif 000003
【図２】
2006041584.tif 000004
【図３】
2006041584.tif 000005
【図４】
2006041584.tif 000006
【図５】
2006041584.tif 000007
【図６】
2006041584.tif 000008
【図７】
2006041584.tif 000009
【図８】
2006041584.tif 000010
【図９】
2006041584.tif 000011
【図１０】
2006041584.tif 000012